(57)【特許請求の範囲】
【請求項１】
左右に並べて配置され且つ上下に階段状に段積された蛇篭を相互に連結するための連結装置であって、
前記蛇篭は、矩形をなす底面、前面、後面、左面、右面、上面の金網パネルからなる角形の蛇篭で、上段の蛇篭と下段の蛇篭とが左右同位置に直積みされており、
前記連結装置は、上段の蛇篭の前面の金網パネルに固定される縦網部と下段の蛇篭の上面の金網パネルに固定される横網部とを有する金網製の連結部材を有し、前記縦網部及び横網部は、左右隣接する蛇篭の前面の金網パネル間及び上面の金網パネル間に跨るように配設されている、
ことを特徴とする蛇篭用連結装置。
【請求項２】
左右に並べて配置され且つ上下に階段状に段積された蛇篭を相互に連結するための連結装置であって、
前記蛇篭は、矩形をなす底面、前面、後面、左面、右面、上面の金網パネルからなる角形の蛇篭で、上段の蛇篭と下段の蛇篭とが左右に位置をずらして千鳥積みされており、
前記連結装置は、上段の蛇篭の前面の金網パネルに固定される縦網部と下段の蛇篭の上面の金網パネルに固定される横網部とを有する金網製の連結部材を有し、前記縦網部及び横網部のうち何れか一方が、左右隣接する蛇篭の前面の金網パネル間又は上面の金網パネル間に跨るように配設されている、
ことを特徴とする蛇篭用連結装置。
【請求項３】
前記連結部材は、前記横網部と前記縦網部とでＬ字形に形成されていることを特徴とする請求項１又は２に記載の蛇篭用連結装置。
【請求項４】
前記連結部材は、複数の前記横網部と複数の前記縦網部とが階段状に連なった形に形成されていることを特徴とする請求項１又は２に記載の蛇篭用連結装置。
【請求項５】
前記蛇篭の金網パネルは、菱形金網又は溶接金網により形成され、前記連結部材も、菱形金網又は溶接金網により形成されていることを特徴とする請求項１から４の何れかに記載の蛇篭用連結装置。
【発明の詳細な説明】
【技術分野】
【０００１】
本発明は、左右に並べて配置され且つ上下に階段状に段積された蛇篭を相互に連結するための連結装置に関するものである。
【背景技術】
【０００２】
例えば特許文献１に記載されているように、海岸、河岸、湖岸等の岸辺に護岸壁を構築したり、傾斜地の法面に補強壁を構築したりする場合に、一般に蛇篭が使用される。この蛇篭は、菱形金網によって四角い容器形に形成され、内部に栗石を充填した状態で岸辺や法面に沿って前後、左右に並べたり、上下に段積したりすることにより、前記護岸壁や補強壁等の擁壁が構築されるものである。その際、蛇篭の位置ずれを防止して前記擁壁の強度を高めるため、左右及び上下に隣接する蛇篭同士を適宜の方法で互いに連結している。
【０００３】
前記蛇篭同士の連結は、一般に、該蛇篭の縁に取り付けられている枠線同士を針金で結束するか、側面網における菱形金網の列線同士を針金で結束するなどの方法により行われている。
【０００４】
しかし、このように針金で枠線同士あるいは列線同士を結束する方法は、この針金を蛇篭の網目に挿通して前記枠線や列線に巻き付けることにより行わなければならないため、作業が面倒で手間がかかる。しかも、石詰めすることで大重量化した蛇篭相互間に相対的に位置ずれする方向の力が作用した場合に、前記針金で結束した枠線や列線に強大な力が局部的に作用し、該枠線や列線が大きく変形したり破断したりして蛇篭の損傷を招きやすい。これは、円筒形の蛇篭の場合でも同様である。
【先行技術文献】
【特許文献】
【０００５】
【特許文献１】特開平１０−１８２９５号公報
【発明の概要】
【発明が解決しようとする課題】
【０００６】
本発明の技術的課題は、左右に並べて配置され且つ上下に階段状に段積された蛇篭同士を、簡単かつ強固に連結することができる連結装置を提供することにある。
【課題を解決するための手段】
【０００７】
前記課題を解決するため本発明によれば、左右に並べて配置され且つ上下に階段状に段積された蛇篭を相互に連結するための連結装置であって、前記蛇篭は、矩形をなす底面、前面、後面、左面、右面、上面の金網パネルからなる角形の蛇篭で、上段の蛇篭と下段の蛇篭とが左右同位置に直積みされており、前記連結装置は、上段の蛇篭の前面の金網パネルに固定される縦網部と下段の蛇篭の上面の金網パネルに固定される横網部とを有する金網製の連結部材を有し、前記縦網部及び横網部は、左右隣接する蛇篭の前面の金網パネル間及び上面の金網パネル間に跨るように配設されていることを特徴とする蛇篭用連結装置が提供される。
【０００８】
また、本発明によれば、上段の蛇篭と下段の蛇篭とが左右に位置をずらして千鳥積みされ、前記連結装置が、上段の蛇篭の前面の金網パネルに固定される縦網部と下段の蛇篭の上面の金網パネルに固定される横網部とを有する金網製の連結部材を有し、前記縦網部及び横網部のうち何れか一方が、左右隣接する蛇篭の前面の金網パネル間又は上面の金網パネル間に跨るように配設されていることを特徴とする蛇篭用連結装置が提供される。
【０００９】
本発明において、前記連結部材は、前記横網部と前記縦網部とでＬ字形に形成されていても、あるいは、複数の前記横網部と複数の前記縦網部とが階段状に連なった形に形成されていても良い。
【００１０】
また、前記蛇篭の金網パネルは、菱形金網又は溶接金網により形成され、前記連結部材も、菱形金網又は溶接金網により形成されていても良い。
【発明の効果】
【００１１】
本発明によれば、金網製の連結部材の縦網部及び／又は横網部を、上下及び左右に隣接する蛇篭の隣接する金網パネル間に跨るように配置して各金網パネルに固定することにより、前記上下及び左右に隣接する蛇篭同士を前記連結部材によって簡単且つ強固に連結することができる。
【図面の簡単な説明】
【００１２】
【図１】本発明に係る蛇篭用連結装置の第１実施形態を示す側断面図である。
【図２】図１の斜視図である。
【図３】蛇篭の斜視図である。
【図４】菱形金網の構成を示す部分平面図である。
【図５】連結部材の斜視図である。
【図６】溶接金網の構成を示す部分平面図である。
【図７】本発明に係る蛇篭用連結装置の第２実施形態を示す側断面図である。
【図８】本発明に係る蛇篭用連結装置の第３実施形態を示す正面図である。
【発明を実施するための形態】
【００１３】
図１及び図２は本発明に係る蛇篭用連結装置の第１実施形態を示すものである。この第１実施形態は、海岸、河岸、湖岸等の岸辺に護岸壁を構築したり、傾斜地の法面に補強壁を構築するために、左右に並べて配置され且つ上下に階段状に段積された蛇篭２を、蛇篭用連結装置１Ａで相互に連結した状態を示すもので、上段の蛇篭２と下段の蛇篭２とが左右同位置に直積みされたものである。
なお、以下の説明において、上下段の蛇篭を区別して表示する必要がある場合には、最下段（１段目）の蛇篭を２Ａ、２段目の蛇篭を２Ｂ、三段目の蛇篭２Ｃというように、各段の蛇篭に異なる符号を付すものとする。
【００１４】
前記蛇篭２は、図３に示すように、底面の金網パネル２ａと、該底面の金網パネル２ａの前後に配置された前面の金網パネル２ｂ及び後面の金網パネル２ｃと、前記底面の金網パネル２ａの左右に配置された左面の金網パネル２ｄ及び右面の金網パネル２ｅと、蓋の役目を果たす上面の金網パネル２ｆとからなる角形の蛇篭であって、前記金網パネル２ａ−２ｆは全て矩形状をなし、前記前面の金網パネル２ｂと後面の金網パネル２ｃとを結ぶ前後方向の幅より、左面の金網パネル２ｄと右面の金網パネル２ｅとを結ぶ左右方向の長さの方が長い、長方形の箱形に形成されている。そして、内部に骨材としての栗石（不図示）を充填した状態で護岸壁の構築現場や法面補強壁の構築現場等に設置されるものである。
【００１５】
前記金網パネル２ａ−２ｆは菱形金網により形成されている。この菱形金網は、図４に示すように、鉄線を扁平螺旋形状に折曲して形成した列線３の折曲部３ａを、順次連繋することにより形成されたものである。なお、以下の説明において、前記列線３の折曲部３ａが相互に繋止する部分を連繋部３ｂと呼ぶこととする。
【００１６】
前記底面の金網パネル２ａと、前面及び後面の金網パネル２ｂ，２ｃと、左面及び右面の金網パネル２ｄ，２ｅとは、各々を個別に形成して相互に連結しても良いが、例えば底面の金網パネル２ａと前面及び後面の金網パネル２ｂ，２ｃとの列線３の向きが互いに同じ向き、即ち図３に示すように横向きである場合には、これら底面の金網パネル２ａと前面及び後面の金網パネル２ｂ，２ｃとを一連の菱形金網によって一体に形成することもできる。また、互いに別体に形成された金網パネル同士の連結は、各金網パネルの外周を取り囲む針金製のパネル枠４の互いに対応する枠辺同士を、スクリューストッパーのような連結金具５で結束することにより行われる。
【００１７】
前記連結装置１Ａは、図５に示すような、菱形金網製の縦網部６ａと横網部６ｂとによって側面視Ｌ字形に形成された連結部材６Ａを有している。前記縦網部６ａと横網部６ｂとは、列線３の向きが図５において左右方向を向いている場合には、１枚の菱形金網を中間位置（縦網部６ａと横網部６ｂとの境界位置）で９０度折曲することによって形成することができるが、前記縦網部６ａと横網部６ｂとを別々に形成し、それらを相互に連結することによっても形成することができる。また、前記連結部材６Ａの外周、あるいは前記縦網部６ａ及び横網部６ｂの外周には、必要に応じて鉄線からなる外周枠７を取り付けることもできる。
なお、前記連結部材６Ａは、不使用時に図５に示すようにＬ字形形状を保持しているとは限らず、通常は、２つに折り畳まれるか、あるいは展開された状態で保管あるいは輸送される。
【００１８】
前記連結部材６Ａで上下及び左右の蛇篭同士を相互に連結するときは、前記縦網部６ａを、前記上下段の蛇篭２Ａ，２Ｂのうち上段の蛇篭２Ｂの、前面の金網パネル２ｂの外面に、隣接する蛇篭２Ｂ，２Ｂの前面の金網パネル２ｂ，２ｂ間に跨るように当接させ、該縦網部６ａの一半側を一方の蛇篭２Ｂの前面の金網パネル２ｂに固定すると共に、他半側を他方の蛇篭２Ｂの前面の金網パネル２ｂに固定し、且つ、前記横網部６ｂを、上下段の蛇篭２Ａ，２Ｂのうち下段の蛇篭２Ａの、上面の金網パネル２ｆが外部に露出する部分、即ち上段の蛇篭２Ｂと重ならない上面の金網パネル２ｆの部分に、隣接する蛇篭２Ａ，２Ａの上面の金網パネル２ｆ，２ｆ間に跨るように配設し、該横網部６ｂの一半側を一方の蛇篭２Ａの上面の金網パネル２ｆに固定すると共に、他半側を他方の蛇篭２Ａの上面の金網パネル２ｆに固定する。
【００１９】
前記縦網部６ａ及び横網部６ｂの、前記上面の金網パネル２ｆ及び前面の金網パネル２ｂに対する固定は、各々の列線３の連繋部３ｂ同士を針金等からなる固定金具８で結束したり、前記連結部材６Ａに外周枠７が設けられている場合は該外周枠７を、金網パネル２ｆ，２ｂの列線３の連繋部３ｂやパネル枠４等に前述したような固定金具８で結束することにより行う。この場合、前記縦網部６ａ及び横網部６ｂの列線３の全ての連繋部３ｂを上面及び前面の金網パネル２ｆ，２ｂの列線３の連繋部３ｂに固定する必要はなく、必要な連結強度が得られる部分ついて選択的に行えば良い。
【００２０】
また、最下段の蛇篭２Ａについては、左右に隣接する蛇篭２Ａ，２Ａの前面の金網パネル２ｂ，２ｂ同士を、菱形金網製の縦網部のみからなる補助連結部材９によって同様に連結することができる。この補助連結部材９は、前記連結部材６Ａと一体に連なった状態に形成しても良く、この場合に該連結部材６Ａは、使用時にＬ字形ではなく、階段状に折れ曲がった形になる。
【００２１】
更に、最上段（第２段目）の蛇篭２Ａについては、図２に鎖線で示すように、左右に隣接する蛇篭２Ａ，２Ａの上面の金網パネル２ｂ，２ｂ同士を、菱形金網製の横網部のみからなる補助連結部材１０によって同様に連結することができる。この場合、最上段の蛇篭２Ａの上面は全体が外部に露出しているため、この補助連結部材１０の前後方向長さは、前記連結部材６Ａの横網部６ｂの前後方向長さより長い。この補助連結部材１０も前記連結部材６Ａと一体に形成することができる。
【００２２】
このようにして、前記縦網部６ａと横網部６ｂとを有する前記連結部材６Ａにより、上下及び左右に隣接する複数の蛇篭Ａ，２Ｂ同士を簡単且つ強固に連結することができる。
【００２３】
なお、図示した実施形態では、蛇篭２を上下２段に段積した場合について説明したが、蛇篭２を３段以上に段積した場合でも、複数の前記連結部材６Ａと、必要に応じて使用される前記補助連結部材９，１０とによって、上下及び左右の蛇篭２同士を同様にして連結することができる。
【００２４】
また、前記実施形態の図では、分かり易くするため、前記連結部材６Ａ及び補助連結部材９の列線３及び外周枠７が、蛇篭２の列線３及びパネル枠４より太く描かれているが、それらの太さは互いに同じであっても良く、あるいは、連結部材６Ａ及び補助連結部材９の列線３及び外周枠７が蛇篭２の列線３及びパネル枠４より細くても構わない。更には、前記連結部材６Ａ及び補助連結部材９の金網の網目を蛇篭２の金網パネル２ａ−２ｆの金網の網目より小さくするかあるいは大きくするなど、互いの網目を互いに異なる大きさに形成することもできる。
【００２５】
本発明の変形例として、前記連結部材６Ａ及び補助連結部材９，１０は、溶接金網で形成することもできる。この溶接金網は、図６に示すように、直交する縦線１１と横線１２との交点１３を電気抵抗溶接により一体化して形成したものである。このような溶接金網製の連結部材６Ａ及び補助連結部材９，１０を使用する場合は、例えば、前記縦線１１と横線１２との交点１３と、蛇篭２の列線３の連繋部３ｂとを、針金等の金具で結束して固定することにより、隣接する蛇篭２，２同士を相互に連結することができる。
【００２６】
あるいは、前記蛇篭２を溶接金網で形成することもできる。この場合、前記連結部材６Ａ及び補助連結部材９，１０としては、菱形金網で形成したものを使用することも、あるいは溶接金網で形成したものを使用することできる。
【００２７】
図７は、本発明に係る連結装置の第２実施形態を示すもので、この第２実施形態の連結装置１Ｂは、上下３段に段積した蛇篭２Ａ，２Ｂ，２Ｃを、縦網部６ａと横網部６ｂとが階段状に連なった連結部材６Ｂで連結したものである。即ち、この第２実施形態は、前記第１実施形態のようなＬ字形の連結部材６Ａを２組使用する代わりに、２つの縦網部６ａと２つの横網部６ｂとが階段状に連なった１つの前記連結部材１Ｂを使用して、前記３段の蛇篭２Ａ，２Ｂ，２Ｃを相互に連結したものである。
【００２８】
４段以上に段積した蛇篭２についても、同様に階段状をなす連結部材６Ｂを使用して上下及び左右の蛇篭２を相互に連結することができる。即ち、本発明においては、複数且つ同数の前記縦網部６ａと横網部６ｂとを有する金網パネル６Ｂを使用することにより、３段以上に段積した蛇篭２を相互に連結することができる。この場合、補助連結部材９，１０もこの連結部材６Ｂに一体に連設することもできる。
【００２９】
なお、前記第２実施形態の前記以外の構成及びその変形例は、前記第１実施形態の場合と実質的に同様であるので、両者の主要な同一構成部分に第１実施形態の場合と同じ符号を付し、その説明は省略する。
【００３０】
図８は本発明に係る連結装置の第３実施形態を示すもので、この第３実施形態では、上段の蛇篭２Ｂと下段の蛇篭２Ａとが左右に位置をずらして千鳥積みされており、この千鳥積みされた蛇篭が連結装置１Ｃで連結されている。
【００３１】
前記連結装置１Ｃは、前記第１実施形態の連結装置１Ａと同様に、縦網部６ａと横網部６ｂとを有するＬ字形の連結部材６Ｃであって、この連結部材６Ｃの前記縦網部６ａが、上段の蛇篭２Ｂの隣接する前面の金網パネル２ｂ，２ｂ間に跨るように配置されて両金網パネル２ｂ，２ｂに固定され、前記横網部６ｂは、下段の蛇篭２Ａにおける上面の金網パネル２ｆの中間位置に配置されて該金網パネル２ｆに固定されている。これにより、上段において左右に隣接する蛇篭２Ｂ，２Ｂ同士が相互に連結されると共に、上下段の蛇篭２Ａ，２Ｂ同士が相互に連結される。
【００３２】
下段において左右に隣接する蛇篭２Ａ，２Ａ同士を連結する場合は、縦網部のみからなる補助連結部材９を使用し、この補助連結部材９を、前記蛇篭２Ａ，２Ａの前面の金網パネル２ｂ，２ｂ間に跨るにように固定すればよい。この補助連結部材９の上端には、上面の金網パネル２ｆ，２ｆに跨る横網部を連結することもできる。
【００３３】
前記第３実施形態の変形例として、前記連結部材６Ｃの横網部６ｂを、下段の蛇篭２Ａの隣接する上面の金網パネル２ｆ，２ｆ間に跨るように配置して固定し、縦網部６ａは、上段の蛇篭２Ｂにおける前面の金網パネル２ｂの中間位置に配置して該金網パネル２ｂに固定することもできる。この変形例においても、下段において左右に隣接する蛇篭２Ａ，２Ａ同士を連結する場合は、縦網部のみからなる補助連結部材９を使用し、この補助連結部材９を、前記蛇篭２Ａ，２Ａの前面の金網パネル２ｂ，２ｂ間に跨るにように固定すればよい。
【００３４】
あるいは、前記第３実施形態の他の変形例として、前記連結部材６Ｃを、上段の蛇篭２Ｂの隣接する前面の金網パネル２ｂ，２ｂ間に縦網部６ａが跨る位置と、下段の蛇篭２Ａの隣接する上面の金網パネル２ｆ，２ｆ間に横網部６ｂが跨る位置とに配置することもできる。
【００３５】
なお、前記第３実施形態の前記以外の構成及び変形例は、前記第１実施形態の場合と実質的に同様であるので、両者の主要な同一構成部分に第１実施形態の場合と同じ符号を付し、その説明は省略する。
【００３６】
前記各実施形態においては、蛇篭２の上面の金網パネル２ｆが、該蛇篭２の上面全体を覆うように取り付けられているが、該上面の金網パネル２ｆは、上段の蛇篭と重ならない部分だけに取り付けられていても良い。但し、最上段の蛇篭においては、該蛇篭の上面全体を覆うように前記上面の金網パネルが取り付けられる。
【符号の説明】
【００３７】
１Ａ，１Ｂ，１Ｃ    連結装置
２，２Ａ，２Ｂ，２Ｃ      蛇篭
６Ａ，６Ｂ，６Ｃ      連結部材
６ａ      横網部
６ｂ      縦網部
【要約】
【課題】左右に並べて配置され且つ上下に階段状に段積された蛇篭同士を、簡単かつ強固に連結することができる連結装置を得る。
【解決手段】左右に並べて配置され且つ上下に階段状に段積された蛇篭２を相互に連結するための連結装置１Ａであって、該連結装置は、縦網部６ａと横網部６ｂとを有する金網製の連結部材６Ａを有し、前記横網部６ｂは、下段で左右に隣接する蛇篭２，２の、互いに隣接する上面の金網パネル２ｆ，２ｆ間に跨るように配設され、該横網部６ｂの一半側が一方の蛇篭２の上面の金網パネル２ｆに連結されると共に、他半側が他方の蛇篭２の上面の金網パネル２ｆに連結され、前記縦網部６ａは、上段で左右に隣接する蛇篭２，２の、互いに隣接する前面の金網パネル２ｂ，２ｂ間に跨るように配設され、該縦網部６ａの一半側が一方の蛇篭２の前面の金網パネル２ｂに連結されると共に、他半側が他方の蛇篭２の前面の金網パネル２ｂに連結される。
【選択図】図１【図１】
0005785314.tif 000002
【図２】
0005785314.tif 000003
【図３】
0005785314.tif 000004
【図４】
0005785314.tif 000005
【図５】
0005785314.tif 000006
【図６】
0005785314.tif 000007
【図７】
0005785314.tif 000008
【図８】
0005785314.tif 000009